(57)【要約】【課題】ＨＴＬディスクかＬＴＨディスクかを短時間で判別することができる光ディスク判別装置とその光ディスク判別装置を備えた光ディスク再生装置、光ディスク判別方法、光ディスク判別プログラムおよび光ディスク判別プログラムを格納した記録媒体を提供する。【解決手段】アクチュエータ４をトラッキング方向に移動させることで対物レンズ３を光ディスク２０の径方向の予め定めた一定方向に移動させ、ＯＦＴＲ信号とＴＫＣ信号を取得して、その際のＯＦＴＲ信号とＴＫＣ信号との位相関係に基づいて光ディスク２０がＨＴＬディスク（オングルーブ方式）かＬＴＨディスク（イングルーブ方式）かを判別する。【選択図】図３
2011181126.tif 000002
【特許請求の範囲】
【請求項１】
光ディスクにレーザ光を出射するとともに前記光ディスクの記録面からの反射光が入射する対物レンズを備えた光ピックアップと、前記光ピックアップに入射した前記反射光からＲＦ信号を生成するＲＦ信号生成手段と、前記反射光からトラッキングエラー信号を生成するトラッキングエラー信号生成手段と、前記光ディスクが、記録方式がオングルーブ方式でかつデータが書き込まれると記録面の反射率が書き込み前に比べて高くなるＨＴＬディスクと、記録方式がイングルーブ方式でかつデータが書き込まれると記録面の反射率が書き込み前に比べて低くなるＬＴＨディスクのいずれであるかを判別する判別手段と、を備えた光ディスク判別装置において、
前記レーザ光が前記光ディスクのトラックから外れているか否かを示すオフトラック信号を、前記ＲＦ信号から生成するオフトラック信号生成手段と、
前記トラッキングエラー信号を二値化したトラッククロス信号を生成するトラッククロス信号生成手段と、
前記対物レンズを前記光ディスクの径方向に対して予め定めた一定方向に移動させる移動制御手段と、を備え、
前記判別手段が、前記移動制御手段が前記対物レンズを前記光ディスクの径方向に対して予め定めた一定方向に移動させた際に、前記オフトラック信号と前記トラッククロス信号の位相関係に基づいて、前記光ディスクが前記ＨＴＬディスクと前記ＬＴＨディスクのいずれであるかを判別する
ことを特徴とする光ディスク判別装置。
【請求項２】
前記移動制御手段が、前記光ディスクの偏芯周波数よりも速い速度で前記対物レンズを前記一定方向に移動させることを特徴とする請求項１に記載の光ディスク判別装置。
【請求項３】
前記対物レンズを前記光ディスクに対してフォーカス方向およびトラッキング方向に移動可能とするアクチュエータをさらに備え、
前記移動制御手段が、前記アクチュエータに前記対物レンズをトラッキング方向に移動させるように制御することで前記対物レンズを前記一定方向に移動させることを特徴とする請求項１または２に記載の光ディスク判別装置。
【請求項４】
前記光ピックアップを前記光ディスクの径方向へ移動させる移動手段をさらに備え、
前記移動制御手段が、前記移動手段に前記光ピックアップを移動させることにより前記対物レンズを前記一定方向に移動させることを特徴とする請求項１乃至３のうちいずれか一項に記載の光ディスク判別装置。
【請求項５】
請求項１乃至４のうちいずれか一項に記載の光ディスク判別装置を備えたことを特徴とする光ディスク再生装置。
【請求項６】
光ディスクにレーザ光を出射するとともに前記光ディスクの記録面からの反射光が入射する対物レンズを備えた光ピックアップと、前記光ピックアップに入射した前記反射光からＲＦ信号を生成するＲＦ信号生成手段と、前記反射光からトラッキングエラー信号を生成するトラッキングエラー信号生成手段と、を備えた光ディスク再生装置の前記光ディスクが、記録方式がオングルーブ方式でかつデータが書き込まれると記録面の反射率が書き込み前に比べて高くなるＨＴＬディスクと、記録方式がイングルーブ方式でかつデータが書き込まれると記録面の反射率が書き込み前に比べて低くなるＬＴＨディスクのいずれであるかを判別する光ディスク判別方法において、
前記対物レンズを前記光ディスクの径方向に対して予め定めた一定方向に移動させた際に、前記ＲＦ信号から生成する前記レーザ光が前記光ディスクのトラックから外れているかを示すオフトラック信号と、前記トラッキングエラー信号を二値化したトラッククロス信号の位相関係に基づいて、前記光ディスクが前記ＨＴＬディスクと前記ＬＴＨディスクのいずれであるかを判別することを特徴とする光ディスク判別方法。
【請求項７】
光ディスクにレーザ光を出射するとともに前記光ディスクの記録面からの反射光が入射する対物レンズを備えた光ピックアップと、前記光ピックアップに入射した前記反射光からＲＦ信号を生成するＲＦ信号生成手段と、前記反射光からトラッキングエラー信号を生成するトラッキングエラー信号生成手段と、を備えた光ディスク判別装置のコンピュータを、前記光ディスクが、記録方式がオングルーブ方式でかつデータが書き込まれると記録面の反射率が書き込み前に比べて高くなるＨＴＬディスクと、記録方式がイングルーブ方式でかつデータが書き込まれると記録面の反射率が書き込み前に比べて低くなるＬＴＨディスクのいずれであるかを判別する判別手段として機能させる光ディスク判別プログラムにおいて、
前記レーザ光が前記光ディスクのトラックから外れているか否かを示すオフトラック信号を、前記ＲＦ信号から生成するオフトラック信号生成手段と、
前記トラッキングエラー信号を二値化したトラッククロス信号を生成するトラッククロス信号生成手段と、
前記対物レンズを前記光ディスクの径方向に対して予め定めた一定方向に移動させる移動制御手段と、として前記コンピュータを機能させるとともに、
前記判別手段が、前記移動制御手段が前記対物レンズを前記光ディスクの径方向に対して予め定めた一定方向に移動させた際に、前記オフトラック信号と前記トラッククロス信号の位相関係に基づいて、前記光ディスクが前記ＨＴＬディスクと前記ＬＴＨディスクのいずれであるかを判別する
ことを特徴とする光ディスク判別プログラム。
【請求項８】
請求項７に記載の光ディスク判別プログラムを格納したことを特徴とするコンピュータ読み取り可能な記録媒体。
【発明の詳細な説明】
【技術分野】
【０００１】
本発明は、書込まれると記録面の反射率が書込み前に比べて低くなるＨＴＬディスクかデータが書込まれると記録面の反射率が書込み前に比べて高くなるＬＴＨディスクかを判別する光ディスク判別装置とその光ディスク判別装置を備えた光ディスク再生装置、光ディスク判別方法、光ディスク判別プログラムおよび光ディスク判別プログラムを格納した記録媒体に関する。
【背景技術】
【０００２】
例えばＢＤ−Ｒ（Blu-ray Disc Recordable）などのように記録可能とされる光ディスクが知られている。ＢＤ−Ｒは、記録面の材料としてこれまでの無機材料に代えて有機材料を使用したディスクが規格化され利用され始めている。
【０００３】
記録面の材料に無機材料を使用したディスクは、データが書込まれると記録面の反射率が書込み前に比べて低くなるＨＴＬディスク（Ｈｉｇｈ  ｔｏ  Ｌｏｗディスク）となっているのに対して、記録面の材料に有機材料を使用したディスクは、データが書込まれると記録面の反射率が書込み前に比べて高くなるＬＴＨディスク（Ｌｏｗ  ｔｏ  Ｈｉｇｈディスク）となっている。
【０００４】
そして、ＢＤ−Ｒの場合、記録面に無機材料を使用したＨＴＬディスクはオングルーブ方式で記録され、記録面に有機材料を使用したＬＴＨディスクはイングルーブ方式で記録されている。オングルーブ方式では、ディスク上にスパイラル状或いは同心円状に形成されると共にアドレス情報としてのウォブリングを有するグルーブ部が光の入射面に対して凸状となっているのに対し、イングルーブ方式では、グルーブ部が光の入射面に対して凹状となっている。
【０００５】
このため、オングルーブ方式におけるグルーブ部上にトラッキング制御する場合と、イングルーブ方式におけるグルーブ部上にトラッキング制御する場合とでは、記録面へ照射するレーザ光の光スポットを制御するためのトラッキングエラー信号の極性が逆になる。そこで、光ディスクから情報を読み出す前に、トラッキングエラー信号の極性を確定する必要があり、これは、オングルーブ方式かイングルーブ方式か、即ち、ＨＴＬディスクかＬＴＨディスクかを判別する必要があることを意味している。
【０００６】
オングルーブ方式の光ディスクかイングルーブ方式の光ディスクかの判別としては、例えば特許文献１に記載の記録方式判定装置が提案されている。特許文献１に記載された記録方式判定装置は、まず、トラッキングエラー信号の極性を第１の極性で動作させて、ウォブル信号の振幅を測定し、次に、トラッキングエラー信号の極性が逆の第２の極性で動作させて、ウォブル信号の振幅を測定する。そして双方の結果を比較してオングルーブ方式かイングルーブ方式かを判断している。
【先行技術文献】
【特許文献】
【０００７】
【特許文献１】ＷＯ２００７／０４０１７３号公報
【発明の概要】
【発明が解決しようとする課題】
【０００８】
しかしながら、特許文献１に記載された記録方式判定装置では、トラッキングエラー信号の極性を第１と第２の２つの極性でそれぞれウォブル信号の振幅を測定するために２回トラッキングを動作させる（トラッキングＯＮする）ので、判定までの時間がかかってしまい、結果的に正しいトラッキングエラー信号でトラッキングＯＮするまでに時間がかかってしまうという問題があった。
【０００９】
そこで、本発明は、例えば、ＨＴＬディスクかＬＴＨディスクかを短時間で判別することができる光ディスク判別装置とその光ディスク判別装置を備えた光ディスク再生装置、光ディスク判別方法、光ディスク判別プログラムおよび光ディスク判別プログラムを格納した記録媒体を提供することを課題とする。
【課題を解決するための手段】
【００１０】
上記課題を解決するために、請求項１に記載の光ディスク判別装置は、光ディスクにレーザ光を出射するとともに前記光ディスクの記録面からの反射光が入射する対物レンズを備えた光ピックアップと、前記光ピックアップに入射した前記反射光からＲＦ信号を生成するＲＦ信号生成手段と、前記反射光からトラッキングエラー信号を生成するトラッキングエラー信号生成手段と、前記光ディスクが、記録方式がオングルーブ方式でかつデータが書き込まれると記録面の反射率が書き込み前に比べて高くなるＨＴＬディスクと、記録方式がイングルーブ方式でかつデータが書き込まれると記録面の反射率が書き込み前に比べて低くなるＬＴＨディスクのいずれであるかを判別する判別手段と、を備えた光ディスク判別装置において、前記レーザ光が前記光ディスクのトラックから外れているか否かを示すオフトラック信号を、前記ＲＦ信号から生成するオフトラック信号生成手段と、前記トラッキングエラー信号を二値化したトラッククロス信号を生成するトラッククロス信号生成手段と、前記対物レンズを前記光ディスクの径方向に対して予め定めた一定方向に移動させる移動制御手段と、を備え、前記判別手段が、前記移動制御手段が前記対物レンズを前記光ディスクの径方向に対して予め定めた一定方向に移動させた際に、前記オフトラック信号と前記トラッククロス信号の位相関係に基づいて、前記光ディスクが前記ＨＴＬディスクとＬＴＨディスクのいずれであるかを判別することを特徴としている。
【００１１】
請求項６に記載の光ディスク判別方法は、光ディスクにレーザ光を出射するとともに前記光ディスクの記録面からの反射光が入射する対物レンズを備えた光ピックアップと、前記光ピックアップに入射した前記反射光からＲＦ信号を生成するＲＦ信号生成手段と、前記反射光からトラッキングエラー信号を生成するトラッキングエラー信号生成手段と、を備えた光ディスク再生装置の前記光ディスクが、記録方式がオングルーブ方式でかつデータが書き込まれると記録面の反射率が書き込み前に比べて高くなるＨＴＬディスクと、記録方式がイングルーブ方式でかつデータが書き込まれると記録面の反射率が書き込み前に比べて低くなるＬＴＨディスクのいずれであるかを判別する光ディスク判別方法において、前記対物レンズを前記光ディスクの径方向に対して予め定めた一定方向に移動させた際に、前記ＲＦ信号から生成する前記レーザ光が前記光ディスクのトラックから外れているかを示すオフトラック信号と、前記トラッキングエラー信号を二値化したトラッククロス信号の位相関係に基づいて、前記光ディスクが前記ＨＴＬディスクとＬＴＨディスクのいずれであるかを判別することを特徴としている。
【００１２】
請求項７に記載の光ディスク判別プログラムは、光ディスクにレーザ光を出射するとともに前記光ディスクの記録面からの反射光が入射する対物レンズを備えた光ピックアップと、前記光ピックアップに入射した前記反射光からＲＦ信号を生成するＲＦ信号生成手段と、前記反射光からトラッキングエラー信号を生成するトラッキングエラー信号生成手段と、を備えた光ディスク判別装置のコンピュータを、前記光ディスクが、記録方式がオングルーブ方式でかつデータが書き込まれると記録面の反射率が書き込み前に比べて高くなるＨＴＬディスクと、記録方式がイングルーブ方式でかつデータが書き込まれると記録面の反射率が書き込み前に比べて低くなるＬＴＨディスクのいずれであるかを判別する判別手段として機能させる光ディスク判別プログラムにおいて、前記レーザ光が前記光ディスクのトラックから外れているか否かを示すオフトラック信号を、前記ＲＦ信号から生成するオフトラック信号生成手段と、前記トラッキングエラー信号を二値化したトラッククロス信号を生成するトラッククロス信号生成手段と、前記対物レンズを前記光ディスクの径方向に対して予め定めた一定方向に移動させる移動制御手段と、として前記コンピュータを機能させるとともに、前記判別手段が、前記移動制御手段が前記対物レンズを前記光ディスクの径方向に対して予め定めた一定方向に移動させた際に、前記オフトラック信号と前記トラッククロス信号の位相関係に基づいて、前記光ディスクが前記ＨＴＬディスクとＬＴＨディスクのいずれであるかを判別することを特徴としている。
【図面の簡単な説明】
【００１３】
【図１】本発明の一実施例にかかる光ディスク再生装置のブロック図である。
【図２】光ディスクの記録方式の説明図である。
【図３】対物レンズを光ディスクの径方向の一定方向に移動させた際のＲＦ信号、ＯＦＴＲ信号、ＴＥ信号、ＴＫＣ信号の波形図である。
【図４】図１に示された光ディスク再生装置の光ディスク判別動作のフローチャートである。
【発明を実施するための形態】
【００１４】
以下、本発明の一実施形態にかかる光ディスク判別装置を説明する。本発明の一実施形態にかかる光ディスク判別装置は、オフトラック信号とトラッククロス信号を生成して、判別手段で、移動制御手段が対物レンズを光ディスクの径方向に対して予め定めた一定方向に移動させた際に、オフトラック信号とトラッククロス信号の位相関係に基づいて光ディスクがＨＴＬディスクかＬＴＨディスクかを判別するので、トラッキングＯＮ動作を行うことなく判別することができ、判別時間を短縮して、トラッキングＯＮ動作をする時間も短縮することができる。
【００１５】
また、移動制御手段が、光ディスクの偏芯周波数よりも速い速度で対物レンズを一定方向に移動させてもよい。このようにすることにより、偏芯の影響を受けずにオフトラック信号とトラッククロス信号の位相関係を取得することができる。
【００１６】
また、対物レンズを光ディスクに対してフォーカス方向およびトラッキング方向に移動可能とするアクチュエータをさらに備え、移動制御手段が、アクチュエータに対物レンズをトラッキング方向に移動させるように制御することで対物レンズを一定方向に移動させてもよい。このようにすることにより、既存の光ディスクをトラッキング方向、即ち径方向に移動させるアクチュエータを用いてオフトラック信号とトラッククロス信号の位相関係を取得することができる。
【００１７】
また、光ピックアップを光ディスクの径方向へ移動させる移動手段をさらに備え、移動制御手段が、移動手段に光ピックアップを移動させることにより対物レンズを一定方向に移動させてもよい。このようにすることにより、既存の光ディスクを径方向に移動させるキャリッジ機構などの手段を用いてオフトラック信号とトラッククロス信号の位相関係を取得することができる。また、キャリッジ機構などの手段を用いることにより、光ピックアップの移動量を多くすることができる。
【００１８】
また、上述した光ディスク判別装置を光ディスク再生装置に備えてもよい。このようにすることにより、光ディスク再生装置におけるトラッキングＯＮ動作の時間を短縮して、再生開始までの時間を短縮することができる。
【００１９】
また、本発明の一実施形態にかかる光ディスク判別方法は、オフトラック信号とトラッククロス信号を生成して、移動制御手段が対物レンズを光ディスクに対して予め定めた一定方向に移動させた際に、オフトラック信号とトラッククロス信号の位相関係に基づいて光ディスクがＨＴＬディスクかＬＴＨディスクかを判別するので、トラッキングＯＮ動作を行うことなく判別することができ、判別時間を短縮して、トラッキングＯＮ動作をする時間も短縮することができる。
【００２０】
また、本発明の一実施形態にかかる光ディスク判別プログラムは、オフトラック信号とトラッククロス信号を生成して、判別手段で、移動制御手段が対物レンズを光ディスクに対して予め定めた一定方向に移動させた際に、オフトラック信号とトラッククロス信号の位相関係に基づいて光ディスクがＨＴＬディスクかＬＴＨディスクかを判別するので、トラッキングＯＮ動作を行うことなく判別することができ、判別時間を短縮して、トラッキングＯＮ動作をする時間も短縮することができる。
【００２１】
また、上述した光ディスク判別プログラムをコンピュータ読み取り可能な記録媒体に格納してもよい。このようにすることにより、光ディスク判別プログラムを機器に組み込む以外に単体でも流通させることができ、バージョンアップ等も容易に行える。
【実施例】
【００２２】
本発明の一実施例にかかる光ディスク再生装置１を図１乃至図４を参照して説明する。光ディスク再生装置１は、図１に示すように光ピックアップ２と、ＲＦ信号生成部６と、オフトラック信号生成部７と、ＴＥ信号生成部８と、ＴＫＣ信号生成部９と、判別部１０と、極性判定器１１と、トラッキングウォブル信号生成部１２と、トラッキング駆動信号生成部１３と、キャリッジ駆動信号生成部１４と、ドライバ１５と、再生部１６と、を備えている。
【００２３】
光ピックアップ２は、光ディスク２０にレーザ光を出射するとともに光ディスク２０の記録面からの反射光が入射する対物レンズ３と、ドライバ１５からの信号により光ディスク２０に対してフォーカス方向（垂直方向）やトラッキング方向（径方向）に対物レンズ３を移動させるためのアクチュエータ４と、を備えている。また、光ピックアップ２は、対物レンズ３、アクチュエータ４以外に図示しない光ディスク２０に照射するレーザ光を発生させるレーザダイオードや、光ディスク２０から反射された反射光を受光するフォトダイオードなども備え、フォトダイオードが受光した反射光を電気信号に変換してＲＦ信号生成部６やＴＥ信号生成部８に出力する。
【００２４】
移動手段としてのキャリッジ機構５は、図示しないキャリッジモータや、キャリッジモータの回転軸と機械的に接続され光ピックアップ２に形成されたネジ山やネジ溝と噛み合っているリードスクリューなどから構成されており、ドライバ１５からの信号によりキャリッジモータが回転して光ピックアップ２を光ディスク２０の径方向に移動させる。
【００２５】
ＲＦ信号生成手段としてのＲＦ信号生成部６は、光ピックアップ２の出力信号からＲＦ信号（全加算信号ともいう）を生成してオフトラック信号生成部７と再生部１６に出力する。
【００２６】
オフトラック信号生成手段としてのオフトラック信号生成部７は、レーザ光が光ディスク２０のトラックから外れているか否かを示すオフトラック信号（ＯＦＴＲ信号）をＲＦ信号から生成して判別部１０へ出力する。なお、ＯＦＴＲ信号の生成は、ＲＦ信号のトップレベルとボトムレベルの差分信号を二値化することで生成する。ここで、差分信号を二値化するための閾値はＯＦＴＲ信号のデューティーが略５０％となるように適宜調整される。
【００２７】
トラッキングエラー信号生成手段としてのＴＥ信号生成部８は、光ピックアップ２の出力信号からトラッキングエラー信号（ＴＥ信号）を生成してＴＫＣ信号生成部９および極性反転器１１へ出力する。なお、ＴＥ信号の生成は、ディスク上のグルーブで反射回折された光を、例えばトラック中心に対し対象に配置された二つの光検出器で検出し、その差信号（プッシュプル信号）でトラッキングエラーを検出する周知のプッシュプル方式で生成する。
【００２８】
トラッククロス信号生成手段としてのＴＫＣ信号生成部９は、入力されたＴＥ信号を二値化してトラッククロス信号（ＴＫＣ信号）を生成して判別部１０へ出力する。ここで、ＴＥ信号を二値化するための閾値はＴＫＣ信号のデューティーが略５０％となるように適宜調整される。
【００２９】
判別手段としての判別部１０は、オフトラック信号生成部７から入力されたＯＦＴＲ信号と、ＴＫＣ信号生成部９から入力されたＴＫＣ信号と、の位相関係に基づいて光ディスク２０がＨＴＬディスクかＬＴＨディスクかを判別し、その判別結果を示す判別信号を極性反転器１１に出力する。
【００３０】
極性反転器１１は、判別部１０から出力された判別信号が示す判別結果に基づいて、ＴＥ信号生成部から入力されたＴＥ信号の極性を反転または反転せずにトラッキング駆動信号生成部１３にＴＥ信号を出力する。
【００３１】
移動制御手段としてのトラッキングウォブル信号生成部１２は、アクチュエータ４をトラッキング方向に移動させるためのトラッキングウォブル信号を生成しトラッキング駆動信号生成部１３に出力する。
【００３２】
移動制御手段としてのトラッキング駆動信号生成部１３は、極性反転器１１とトラッキングウォブル信号生成部１２から入力された信号に基づいてアクチュエータ４をトラッキング方向へ駆動させるためのトラッキング駆動信号を生成してドライバ１５へ出力する。      
【００３３】
移動制御手段としてのキャリッジ駆動信号生成部１４は、キャリッジ機構５を駆動するためのキャリッジ駆動信号を生成してドライバ１５へ出力する。
【００３４】
ドライバ１５は、トラッキング駆動信号生成部１３から入力されたトラッキング駆動信号からアクチュエータ４をドライブする信号、即ち対物レンズ３をトラッキング方向へ移動させるための信号を出力し、キャリッジ駆動信号生成部１４から入力されたキャリッジ駆動信号からキャリッジ機構５をドライブする信号、即ち光ピックアップ２を光ディスク２０の径方向へ移動させるための信号を出力する。
【００３５】
再生部１６は、入力されたＲＦ信号から光ディスク２０に記録されている情報を再生し、再生信号として外部へ出力する。
【００３６】
上述した構成のうち、光ピックアップ２と、ＲＦ信号生成部６と、オフトラック信号生成部７と、ＴＥ信号生成部８と、ＴＫＣ信号生成部９と、判別部１０と、極性反転器１１と、トラッキングウォブル信号生成部１２と、トラッキング駆動信号生成部１３と、キャリッジ駆動信号生成部１４と、ドライバ１５と、で本発明の一実施例にかかる光ディスク判別装置３０を構成する。
【００３７】
次に、上述した構成の光ディスク再生装置１が再生する光ディスク２０の記録方式について、図２を参照して説明する。
【００３８】
図２に示すように、光ディスク２０の記録方式には、オングルーブ方式及びイングルーブ方式の２種類がある。即ち、光ディスク２０としては、記録方式がオングルーブ方式の光ディスク２１と、記録方式がイングルーブ方式の光ディスク２２とがある。図２では、上方には光ディスク２１及び２２のトラックの半径方向に沿った線での断面図が夫々示されており、下方には光が入射する入射面から見た平面図が上方に示された断面図に対応して示されている。
【００３９】
図２（ａ）に示すように、記録方式がオングルーブ方式の光ディスク２１では、光ディスク２１における光ＬＢが入射する入射面２１１に対して、入射する側から見て凸状のグルーブ２１２が設けられている。グルーブ２１２上に、ピット２１３が配列されることで情報が記録される（つまり、記録面である）。更に、グルーブ２１２は、半径方向にわずかに蛇行して形成されている、即ちウォブルが形成されたウォブルドグルーブである。尚、本例におけるグルーブ２１２は、その製造過程で、基板２１１Ｓに対するグルーブ（溝）として形成され、他方で、基板２１１Ｓにおけるグルーブ（溝）が掘られる側と反対側（即ち入射面２１１になる側）から、光ＬＢが照射されるため、光ＬＢが入射する側から見て凸状となり、基板２１１Ｓに対して凹状となる。このように、グルーブ２１２は、光ＬＢが入射する側から見て凸状であるものの、基板２１１Ｓに対しては“凹状”であるグルーブとして構築されている。
【００４０】
一方、図２（ｂ）に示すように、記録方式がイングルーブ方式の光ディスク２２では、光ディスク２２における光ＬＢが入射する入射面２２１に対して、入射する側から見て凹状のグルーブ２２２が設けられている。グルーブ２２２上に、ピット２２３が配列されることで情報が記録される（つまり、記録面である）。更に、グルーブ２２２は、グルーブ２１２と同様に、ウォブルが形成されたウォブルドグルーブである。尚、本例におけるグルーブ２２２は、その製造過程で、基板２２１Ｓに対するグルーブ（溝）として形成され、他方で、基板２２１Ｓにおけるグルーブ（溝）が掘られる側と同じ側から、光ＬＢが照射されるため、光ＬＢが入射する側から見て凹状となる。このように、グルーブ２２２は、光ＬＢが入射する側から見て凹状であり、基板２２１Ｓに対しても“凹状”であるグルーブとして構築されている。
【００４１】
ここで、本実施例におけるＨＴＬディスクとＬＴＨディスクの判別方法について図３を参照して説明する。図３は、対物レンズ３を光ディスク２０の径方向の一定方向（例えば内周から外周）に移動させた際のＲＦ信号、ＯＦＴＲ信号、ＴＥ信号、ＴＫＣ信号の波形とそれぞれの位相関係を示した図である。また、図３（ａ）はＨＴＬディスク、（ｂ）はＬＴＨディスクの波形例である。
【００４２】
図３（ａ）に示したＨＴＬディスクである光ディスク２０の場合、各トラックを横断するたびに反射率の影響でＲＦ信号のボトムレベルの値が変化するという性質がある。つまり、ＨＴＬディスクでは、記録面で反射率が低くなるため、トラック間を横断しているときに比べ、トラックを横断しているときはボトムレベルの値が小さくなる。
【００４３】
ＯＦＴＲ信号は、上述したようにＲＦ信号のトップレベルとボトムレベルの差分信号を二値化することで生成され、ここでは、トップレベルとボトムレベルの差が小さいときにＨｉｇｈレベル、差が大きいときにＬｏｗレベルとしている。したがって、トラックを横断している時はＬｏｗレベル、トラック間を横断している時はＨｉｇｈレベルになる。
【００４４】
ＴＥ信号は、上述したプッシュプル信号であり、グルーブの溝の深さに依存するため、グルーブ中心およびグルーブ間中心上を横断しているときにはゼロとなり、その中間でトップレベルとなる。
【００４５】
ＴＫＣ信号は上述したとおりＴＥ信号を二値化した信号であり、ここでは、ＴＥ信号が正のときＨｉｇｈレベル、ＴＥ信号が負のときＬｏｗレベルとしている。したがって、ＯＦＴＲ信号がＬｏｗレベルのときにＴＫＣ信号が立ち上がり、ＯＦＴＲ信号がＨｉｇｈレベルのときにＴＫＣ信号が立ち下がるように位相がずれることとなる。
【００４６】
一方、図３（ｂ）に示したＬＴＨディスクである光ディスク２０の場合、各トラックを横断するたびに反射率の影響でＲＦ信号のトップレベルの値が変化するという性質がある。つまり、ＬＴＨディスクでは、記録面で反射率が高くなるため、トラック間を横断しているときに比べ、トラックを横断しているときはトップレベルの値が大きくなる。
【００４７】
ＯＦＴＲ信号は、上述したようにここでは、ＲＦ信号のトップレベルとボトムレベルの差が小さいときにＨｉｇｈレベル、差が大きいときにＬｏｗレベルとしている。したがって、トラックを横断している時はＬｏｗレベル、トラック間を横断している時はＨｉｇｈレベルになる。
【００４８】
ＴＥ信号は、上述したプッシュプル信号であり、グルーブの溝の深さに依存するため、グルーブ中心およびグルーブ間中心上を横断しているときにはゼロとなり、その中間でトップレベルとなる。
【００４９】
ＴＫＣ信号は上述したとおりＴＥ信号を二値化した信号であり、ここでは、ＴＥ信号が正のときＨｉｇｈレベル、ＴＥ信号が負のときＬｏｗレベルとしている。したがって、ＯＦＴＲ信号がＬｏｗレベルのときにＴＫＣ信号が立ち下がり、ＯＦＴＲ信号がＨｉｇｈレベルのときにＴＫＣ信号が立ち上がるように位相がずれることとなる。
【００５０】
図３（ａ）と（ｂ）とを比較すると、ＯＦＴＲ信号自体に差は無いが、オングルーブ方式とイングルーブ方式の違いからＴＫＣ信号、即ちＴＥ信号の極性が反転しているため、ＯＦＴＲ信号とＴＫＣ信号の位相関係が異なることが分かる。つまり、ＯＦＴＲ信号とＴＫＣ信号の位相関係を確認することでＨＴＬディスクとＬＴＨディスクとの判別することができる。
【００５１】
なお、図３に示した波形図は、対物レンズ３を光ディスク２０の径方向の一方向（例えば内周から外周）に移動させた際のものであり、逆方向（例えば外周から内周）に移動させた場合は、ＴＥ信号およびＴＫＣ信号については（ａ）がＬＴＨディスクで（ｂ）がＨＴＬディスクとなる。但し、この場合でも上述したようにＯＦＴＲ信号とＴＫＣ信号の位相関係が異なることは変わらないため、予め対物レンズ３を移動させる方向を定め、その際のＨＴＬディスクとＬＴＨディスクにおけるＯＦＴＲ信号とＴＫＣ信号の位相関係を求めて記憶しておけば、実際に観測された信号の位相関係と記憶した位相関係を照合することで、ＨＴＬディスクかＬＴＨディスクかを判別することができる。
【００５２】
上述した動作の詳細を図４のフローチャートを参照して説明する。図４のフローチャートは判別部１０で実行される。また、図４のフローチャートはフォーカス引き込みが終了し、フォーカスＯＮ（ＦＯＮ）状態となった以降に実行される。
【００５３】
まず、ステップＳ１において、トラッキングウォブル開始またはキャリッジ移動開始してステップＳ２に進む。トラッキングウォブル開始とは、トラッキングウォブル信号生成部１２において、トラッキングウォブル信号、即ちアクチュエータ４をトラッキング方向に移動させる信号を発生させ始めて対物レンズ３を予め定めた一定のトラッキング方向である光ディスク２０の予め定めた一定の径方向に移動を開始させることであり、キャリッジ移動開始とは、キャリッジ駆動信号生成部１４において、キャリッジ駆動信号を発生させ始めて対物レンズ３を光ディスク２０の予め定めた一定の径方向に移動を開始させることである。つまり、本実施例においては、トラッキングウォブルによるアクチュエータ４またはキャリッジ機構５のいずれかにより対物レンズ３を移動させればよい。
【００５４】
また、トラッキングウォブルまたはキャリッジ移動により対物レンズ３を移動させる速度は、偏芯の周波数よりも高い周波数で駆動されることによって得られる速度（偏芯周波数よりも速い速度）とする。この速度は、光ディスク再生装置１における光ディスク２０の回転機構やクランプ機構などのメカの精度や、当該光ディスクの規格などにより発生すると予想される偏芯の周波数を考慮して予め設定した固定値とする。
【００５５】
次に、ステップＳ２において、ＯＦＴＲ信号とＴＫＣ信号を取得しステップＳ３に進む。つまり、ステップＳ１で対物レンズ３を移動させた際のＯＦＴＲ信号とＴＫＣ信号を取得している。
【００５６】
次に、ステップＳ３において、ＨＴＬディスクかＬＴＨディスクかの判別を行ってＨＴＬディスクの場合はステップＳ４に進み、ＬＴＨディスクの場合はステップＳ５に進む。本ステップでは、上述したようなＯＦＴＲ信号とＴＫＣ信号の位相関係からＨＴＬディスクかＬＴＨディスクかの判別を行う。
【００５７】
次に、ステップＳ４において、ＴＥ信号はＨＴＬディスク（オングルーブ方式）の極性であると判別して以降トラッキングＯＮ（ＴＯＮ）動作を行わせる。
【００５８】
一方、ステップＳ５においては、ＴＥ信号はＬＴＨディスク（イングルーブ方式）の極性であると判別して以降トラッキングＯＮ（ＴＯＮ）動作を行わせる。
【００５９】
本実施例によれば、アクチュエータ４をトラッキング方向に移動させることで対物レンズ３を光ディスク２０の径方向の予め定めた一定方向に移動させ、ＯＦＴＲ信号とＴＫＣ信号を取得して、その際のＯＦＴＲ信号とＴＫＣ信号との位相関係に基づいて光ディスク２０がＨＴＬディスク（オングルーブ方式）かＬＴＨディスク（イングルーブ方式）かを判別しているので、既存のアクチュエータ４を利用してトラッキングＯＮ動作を行うことなく判別することができ、判別時間を短縮して、トラッキングＯＮ動作をする時間も短縮することができる。
【００６０】
また、光ディスク２０の偏芯周波数よりも速い速度で対物レンズ３を一定方向に移動させているので、偏芯の影響を受けずにＯＦＴＲ信号とＴＫＣ信号の位相関係を取得することができる。
【００６１】
また、アクチュエータ４をトラッキング方向に移動させることに代えてキャリッジ機構５で光ピックアップ２を移動させることにより対物レンズ３を光ディスク２０の径方向に移動させてもよく、この場合は既存のキャリッジ機構５を利用してＯＦＴＲ信号とＴＫＣ信号の位相関係を取得することができる。また、キャリッジ機構５を用いることにより、光ピックアップ２の移動量を多くすることができる。なお、この場合、レンズサーボをかけて対物レンズ３を中点に固定してもよいし、移動方向がわかっていれば、起動Ｇによる対物レンズ３の固有振動の方向で速度を出してもよいし、任意の信号で意図した対物レンズ振動を発生させてもよい。
【００６２】
なお、上述した実施例ではアクチュエータ４をトラッキング方向に移動させるかキャリッジ機構５で光ピックアップ２を移動させるかを選択していたが、双方を組み合わせてもよい。つまり、キャリッジ機構５で光ピックアップ２を移動させながらアクチュエータ４も同じ方向に移動させてもよい。このようにすることで、対物レンズ３の移動速度をより速くすることができるため、より高い偏芯周波数に対応させることができる。
【００６３】
前述した実施例によれば、以下の光ディスク判別装置３０、光ディスク判別方法および光ディスク判別プログラムが得られる。
【００６４】
（付記１）光ディスク２０にレーザ光を出射するとともに光ディスク２０の記録面からの反射光が入射する対物レンズ３および対物レンズ３を光ディスク２０に対してフォーカス方向およびトラッキング方向に移動可能とするアクチュエータ４と、を備えた光ピックアップ２と、光ピックアップ２を光ディスク２０の径方向へ移動させるキャリッジ機構５と、光ピックアップ２に入射した反射光からＲＦ信号を生成するＲＦ信号生成部６と、反射光からＴＥ信号を生成するＴＥ信号生成部８と、光ディスク２０が、記録方式がオングルーブ方式でかつデータが書き込まれると記録面の反射率が書き込み前に比べて高くなるＨＴＬディスクと、記録方式がイングルーブ方式でかつデータが書き込まれると記録面の反射率が書き込み前に比べて低くなるＬＴＨディスクのいずれであるかを判別する判別部１０と、を備えた光ディスク判別装置３０において、
レーザ光が光ディスク２０のトラックから外れているか否かを示すＯＦＴＲ信号を、ＲＦ信号から生成するオフトラック信号生成部７と、
ＴＥ信号を二値化したＴＫＣ信号を生成するＴＫＣ信号生成部９と、
対物レンズ３を光ディスク２０の径方向に対して予め定めた一定方向に移動させるトラッキングウォブル信号生成部１２、トラッキング駆動信号生成部１３、キャリッジ駆動信号生成部１４と、を備え、
判別部１０が、トラッキングウォブル信号生成部１２、トラッキング駆動信号生成部１３、キャリッジ駆動信号生成部１４が対物レンズ３を光ディスク２０の径方向に対して予め定めた一定方向に移動させた際に、ＯＦＴＲ信号とＴＫＣ信号の位相関係に基づいて、光ディスク２０がＨＴＬディスクとＬＴＨディスクのいずれであるかを判別する
ことを特徴とする光ディスク判別装置３０。
【００６５】
（付記２）光ディスク２０にレーザ光を出射するとともに光ディスク２０の記録面からの反射光が入射する対物レンズ３および対物レンズ３を光ディスク２０に対してフォーカス方向およびトラッキング方向に移動可能とするアクチュエータ４と、を備えた光ピックアップ２と、光ピックアップ２を光ディスク２０の径方向へ移動させるキャリッジ機構５と、光ピックアップ２に入射した反射光からＲＦ信号を生成するＲＦ信号生成部６と、反射光からＴＥ信号を生成するＴＥ信号生成部８と、を備えた光ディスク再生装置１の光ディスク２０が、記録方式がオングルーブ方式でかつデータが書き込まれると記録面の反射率が書き込み前に比べて高くなるＨＴＬディスクと、記録方式がイングルーブ方式でかつデータが書き込まれると記録面の反射率が書き込み前に比べて低くなるＬＴＨディスクのいずれであるかを判別する光ディスク判別方法において、
対物レンズ３を光ディスク２０の径方向に対して予め定めた一定方向に移動させた際に、ＲＦ信号から生成するレーザ光が光ディスク２０のトラックから外れているかを示すＯＦＴＲ信号と、ＴＥ信号を二値化したＴＫＣ信号の位相関係に基づいて、光ディスク２０が前記ＨＴＬディスクと前記ＬＴＨディスクのいずれであるかを判別することを特徴とする光ディスク判別方法。
【００６６】
（付記３）光ディスク２０にレーザ光を出射するとともに光ディスク２０の記録面からの反射光が入射する対物レンズ３および対物レンズ３を光ディスク２０に対してフォーカス方向およびトラッキング方向に移動可能とするアクチュエータ４と、を備えた光ピックアップ２と、光ピックアップ２を光ディスク２０の径方向へ移動させるキャリッジ機構５と、光ピックアップ２に入射した反射光からＲＦ信号を生成するＲＦ信号生成部６と、反射光からＴＥ信号を生成するＴＥ信号生成部８と、を備えた光ディスク判別装置３０のコンピュータを、光ディスク２０が、記録方式がオングルーブ方式でかつデータが書き込まれると記録面の反射率が書き込み前に比べて高くなるＨＴＬディスクと、記録方式がイングルーブ方式でかつデータが書き込まれると記録面の反射率が書き込み前に比べて低くなるＬＴＨディスクのいずれであるかを判別する判別部１０として機能させる光ディスク判別プログラムにおいて、
レーザ光が光ディスク２０のトラックから外れているか否かを示すＯＦＴＲ信号を、ＲＦ信号から生成するオフトラック信号生成部７と、
ＴＥ信号を二値化したＴＫＣ信号を生成するＴＫＣ信号生成部９と、
対物レンズ３を光ディスク２０の径方向に対して予め定めた一定方向に移動させるトラッキングウォブル信号生成部１２、トラッキング駆動信号生成部１３、キャリッジ駆動信号生成部１４と、としてコンピュータを機能させるとともに、
前記判別部１０が、トラッキングウォブル信号生成部１２、トラッキング駆動信号生成部１３、キャリッジ駆動信号生成部１４が対物レンズ３を光ディスク２０の径方向に対して予め定めた一定方向に移動させた際に、ＯＦＴＲ信号とＴＫＣ信号の位相関係に基づいて、光ディスク２０がＨＴＬディスクとＬＴＨディスクのいずれであるかを判別する
ことを特徴とする光ディスク判別プログラム。
【００６７】
これらの光ディスク判別装置３０、光ディスク判別方法および光ディスク判別プログラムによれば、トラッキングＯＮ動作を行うことなく判別することができ、判別時間を短縮して、トラッキングＯＮ動作をする時間も短縮することができる。
【００６８】
なお、前述した実施例は本発明の代表的な形態を示したに過ぎず、本発明は、実施例に限定されるものではない。すなわち、本発明の骨子を逸脱しない範囲で種々変形して実施することができる。
【符号の説明】
【００６９】
１        光ディスク再生装置
２        光ピックアップ
３        対物レンズ
４        アクチュエータ
５        キャリッジ機構（移動手段）
６        ＲＦ信号生成部（ＲＦ信号生成手段）
７        オフトラック信号生成部（オフトラック信号生成手段）
８        ＴＥ信号生成部（トラッキングエラー信号生成手段）
９        ＴＫＣ信号生成部（トラッククロス信号生成手段）
１０      判別部（判別手段）
１２      トラッキングウォブル信号生成部（移動制御手段）
１３      トラッキング駆動信号生成部（移動制御手段）
１４      キャリッジ駆動信号生成部（移動制御手段）
２０      光ディスク
３０      光ディスク判別装置
【図１】
2011181126.tif 000003
【図２】
2011181126.tif 000004
【図３】
2011181126.tif 000005
【図４】
2011181126.tif 000006